(57)【要約】【課題】  灯体に対する連結体の干渉を避けることができる照明器具を提供する。【解決手段】  電気的な光源を有する灯体１と、灯体１を光源の光軸に交差する第１回転軸周りに回転可能に支持する回転枠２と、回転枠２を第１回転軸に交差する第２回転軸周りに回転可能に支持する支持枠３とを備える。また、灯体１よりも上側において天井から吊下げ支持される天板４と、天板４と支持枠３とを相互に連結する連結体５とを備える。連結体５は、天板４と支持枠３とに対してそれぞれ変位可能に連結されている。灯体１の向きを変更する際には、連結体５を支持枠３や天板４に対して適宜変位させることで、灯体１に対する連結体５の干渉を避けることができる。【選択図】図１
2015011879.tif 000002
【特許請求の範囲】
【請求項１】
電気的な光源を有する灯体と、
前記灯体を前記光源の光軸に交差する第１回転軸周りに回転可能に支持する回転枠と、
前記回転枠を前記第１回転軸に交差する第２回転軸周りに回転可能に支持する支持枠と、
前記灯体よりも上側において天井から吊下げ支持される天板と、
前記天板と前記支持枠とを相互に連結する連結体とを備え、
前記連結体は、前記天板と前記支持枠とに対してそれぞれ変位可能に連結されていることを特徴とする照明器具。
【請求項２】
前記連結体は、前記支持枠に対し上下方向に交差する所定のスライド方向に変位可能に連結された第１連結部と、前記天板に対して前記スライド方向に変位可能に連結された第２連結部と、前記第１連結部と前記第２連結部との間に介在する本体部とを備え、
前記支持枠と前記第１連結部とには、互いに当接することで前記支持枠から前記スライド方向への前記第１連結部の脱落を防止する第１脱落防止部が設けられ、
前記天板と前記第２連結部とには、互いに当接することで前記天板から前記スライド方向への前記第２連結部の脱落を防止する第２脱落防止部が設けられていることを特徴とする請求項１記載の照明器具。
【請求項３】
前記連結体は、前記支持枠から水平方向には突出しないことを特徴とする請求項２記載の照明器具。
【請求項４】
前記連結体は、前記支持枠と前記天板とに対し、上下方向に平行な軸周りに回転可能に連結されていることを特徴とする請求項１記載の照明器具。
【請求項５】
前記支持枠と前記天板との少なくとも一方には、前記連結体に当接することで前記連結体の回転範囲を制限する制限部が設けられていることを特徴とする請求項４記載の照明器具。
【発明の詳細な説明】
【技術分野】
【０００１】
本発明は、照明器具に関するものである。
【背景技術】
【０００２】
従来から、電気的な光源を有する灯体が、いわゆるジンバル構造によって支持されることで、灯体の向きが可変とされた照明器具が提供されている（例えば、特許文献１参照）。
【０００３】
この種の照明器具として、例えば図９のようなものがある。この照明器具は、灯体１と、灯体１を光源（図示せず）の光軸に交差（直交）する第１回転軸周りに回転可能に支持する回転枠２とを３組備える。光源としては例えば発光ダイオードなどの周知の電気的な光源を用いることができ、上記のような灯体１は周知技術で実現可能であるので説明は省略する。また、上記の照明器具は、各回転枠２を第１回転軸に交差（直交）する第２回転軸周りに回転可能に支持する支持枠３を備える。回転枠２は例えば樹脂からなり、支持枠３は例えば金属板からなる。支持枠３は上下方向から見て長方形状であって、３個の回転枠２は、支持枠３の長手方向に並べて取り付けられている。また、回転枠２は、灯体１において光源の光が出射する方向の端部である下端部を囲む円環形状とされている。回転枠２は、第１の径方向の両端部がそれぞれ灯体１に対して回転可能に連結されるとともに、第１の径方向に直交する第２の径方向の両端部がそれぞれ支持枠３の短手方向の一端部ずつに対して回転可能に連結されている。つまり、上記の第２回転軸は、支持枠３の短手方向に平行となっている。また、上記の第１回転軸は、支持枠３に対し、第２回転軸に直交する面内（つまり、支持枠３の長手方向と上下方向とに平行な面内）で回転可能となっている。
【０００４】
上記の照明器具は、図１０に示すように、天井材７に設けられた埋込穴７０に埋込配設される。天井材７は、コンクリートなどの造営材（図示せず）との間に隙間（いわゆる配線スペース）を開けて配置されて天井面を構成する板材である。上記の照明器具は、灯体１よりも上側において埋込穴７０内の天井（造営材）に吊下げ支持される天板４と、この天板４と上記の支持枠３とを相互に連結する連結体５とを備える。天板４と連結体５とはそれぞれ例えば金属板からなる。天板４は、厚さ方向を上下方向に向けた長方形状の主片４１と、主片４１の短手方向の両端からそれぞれ下方に突設された側片４２とを有する。また、天板４の主片４１は上方から見て支持枠３に重なる寸法形状であって、天板４は主片４１の四隅付近においてそれぞれ連結体５を介して支持枠３の四隅付近に連結されている。さらに、天板４は、天井材７の上側の造営材（図示せず）から垂下されたアンカーボルト７１を上方から挿通されるボルト挿通穴４０を長手方向の両端部に有する。ボルト挿通穴４０に挿通されたアンカーボルト７１は、天板４の下側においてナット７２にねじ込まれる。このナット７２によって、天板４は天井（造営材）から吊下げ支持される。ナット７２の上面と天板４の下面との間には座金７３が配置される。さらに、連結体５には、４個の取付金具６が上下にスライド可能に取り付けられており、上記の照明器具は、上記の取付金具６が天井材７の上面に当接することによっても支持される。連結体５に対する取付金具６の取付は、例えば、連結体５に設けられたＴ字型の取付穴５０への嵌め込みにより達成される。この場合、取付金具６は、取付穴５０において幅の広い上端部に挿入された後、図９に矢印Ａ４で示すように下方へスライドされる。支持枠３は、上下方向に開口した角筒形状であって各回転枠２をそれぞれ支持するとともに埋込穴７０に挿通される筒部３１と、筒部３１の下端から外向きに突設された環形状であって天井材７の下面（天井面）に当接する鍔部３２とを有する。
【先行技術文献】
【特許文献】
【０００５】
【特許文献１】実用新案登録第３０６６８３４号公報
【発明の概要】
【発明が解決しようとする課題】
【０００６】
灯体１の光軸方向での寸法が支持枠３の上下方向での寸法よりも大きいことや、支持枠３の下方への灯体１の突出寸法が大きくなることは好ましくないことなどの理由により、灯体１は、上端部を支持枠３の上方へ突出させる形で保持される。つまり、支持枠３に対する灯体１の回転に伴って、灯体１の上端部は水平方向に変位する。従って、灯体１を支持枠３に対して回転させる際に、連結体５が灯体１の上端部に干渉してしまう場合があった。例えば、図９の左端の灯体１のように、上端部が支持枠３の筒部３１から長手方向に突出した灯体１を回転枠２に対して回転させようとすると、灯体１の上端部に連結体５が干渉（当接）してしまう。
【０００７】
本発明は、上記事由に鑑みて為されたものであり、その目的は、灯体に対する連結体の干渉を避けることができる照明器具を提供することにある。
【課題を解決するための手段】
【０００８】
本発明の照明器具は、電気的な光源を有する灯体と、前記灯体を前記光源の光軸に交差する第１回転軸周りに回転可能に支持する回転枠と、前記回転枠を前記第１回転軸に交差する第２回転軸周りに回転可能に支持する支持枠と、前記灯体よりも上側において天井から吊下げ支持される天板と、前記天板と前記支持枠とを相互に連結する連結体とを備え、前記連結体は、前記天板と前記支持枠とに対してそれぞれ変位可能に連結されていることを特徴とする。
【０００９】
上記の照明器具において、前記連結体は、前記支持枠に対し上下方向に交差する所定のスライド方向に変位可能に連結された第１連結部と、前記天板に対して前記スライド方向に変位可能に連結された第２連結部と、前記第１連結部と前記第２連結部との間に介在する本体部とを備え、前記支持枠と前記第１連結部とには、互いに当接することで前記支持枠から前記スライド方向への前記第１連結部の脱落を防止する第１脱落防止部が設けられ、前記天板と前記第２連結部とには、互いに当接することで前記天板から前記スライド方向への前記第２連結部の脱落を防止する第２脱落防止部が設けられていてもよい。
【００１０】
上記の照明器具において、前記連結体は、前記支持枠から水平方向には突出しないことが望ましい。
【００１１】
上記の照明器具において、前記連結体は、前記支持枠と前記天板とに対し、上下方向に平行な軸周りに回転可能に連結されていてもよい。
【００１２】
上記の照明器具において、前記支持枠と前記天板との少なくとも一方には、前記連結体に当接することで前記連結体の回転範囲を制限する制限部が設けられていてもよい。
【発明の効果】
【００１３】
本発明によれば、灯体の向きを変更する際には、連結体を支持枠や天板に対して適宜変位させることで、灯体に対する連結体の干渉を避けることができる。
【図面の簡単な説明】
【００１４】
【図１】（ａ）（ｂ）はそれぞれ本発明の実施形態１を示す斜視図であり、（ａ）は各連結体がそれぞれ可動範囲の一端にある状態を示し、（ｂ）は各連結体がそれぞれ可動範囲の他端にある状態を示す。
【図２】同上の要部を示す、一部破断した斜視図である。
【図３】同上における天板の要部を示す斜視図である。
【図４】（ａ）（ｂ）はそれぞれ本発明の実施形態２を示す斜視図であり、（ａ）は各連結体がそれぞれ可動範囲の一端にある状態を示し、（ｂ）は各連結体がそれぞれ可動範囲の中央部にある状態を示す。
【図５】同上の要部を示す斜視図である。
【図６】（ａ）（ｂ）はそれぞれ本発明の実施形態３を示す斜視図であり、（ａ）は各連結体がそれぞれ可動範囲の一端にある状態を示し、（ｂ）は各連結体がそれぞれ可動範囲の他端にある状態を示す。
【図７】同上の要部を示す分解斜視図である。
【図８】同上の要部を示す斜視図である。
【図９】従来の照明器具が埋込配設された状態を示す斜視図である。
【図１０】同上を埋込配設する方法を示す説明図である。
【発明を実施するための形態】
【００１５】
本発明の照明器具は、電気的な光源を有する灯体１と、灯体１を光源の光軸に交差する第１回転軸周りに回転可能に支持する回転枠２と、回転枠２を第１回転軸に交差する第２回転軸周りに回転可能に支持する支持枠３とを備える。また、本発明の照明器具は、灯体１よりも上側において天井から吊下げ支持される天板４と、天板４と支持枠３とを相互に連結する連結体５とを備える。連結体５は、天板４と支持枠３とに対してそれぞれ変位可能に連結されている。
【００１６】
連結体５は、支持枠３から水平方向には突出しないことが好ましい。
【００１７】
以下、本発明を実施するための最良の形態について、図面を参照しながら説明する。
（実施形態１）
本実施形態の基本構成は図９及び図１０で説明した従来例と共通であるので、共通する部分については説明を省略する。
【００１８】
本実施形態においては、図１（ａ）（ｂ）に示すように、支持枠３と天板４との長手方向の両側に１個ずつ設けられた連結体５が、それぞれ、支持枠３と天板４とに対して長手方向に平行移動（スライド）自在に連結されている。以下、図１（ａ）のＡＢＣＤＥＦ方向を上下左右前後方向と呼ぶ。つまり、支持枠３と天板４との長手方向を左右方向と呼び、支持枠３と天板４との短手方向を前後方向と呼ぶ。
【００１９】
具体的に説明すると、各連結体５は、それぞれ、長方形枠状であって長手方向を上下方向に向け短手方向を前後方向に向けて支持枠３と天板４との左右方向（長手方向）の一方側に位置する本体部５３を備える。取付金具６は、本体部５３の前後両側に取り付けられる。取付金具６の取付は、例えば、本体部５３に設けられたＴ字型の取付穴５０への嵌め込みにより達成される。
【００２０】
また、本体部５３の下端部の前後両端部には、それぞれ、本体部５３から左右方向のうち他方の連結体５に近づく方向に突出して前後方向において支持枠３の筒部３１を挟む第１連結部５１が設けられている。各第１連結部５１にはそれぞれ左右に長い貫通穴である第１連結穴５１０が設けられている。支持枠３の筒部３１の前後両面において左右両端部には、それぞれ２個ずつのねじ３３が、第１連結穴５１０を貫通する形で左右に並べてねじ込まれている。第１連結穴５１０は、ねじ３３の頭部を挿通不可能な程度に幅寸法（上下方向の寸法）を小さくされている。つまり、各ねじ３３が、それぞれ第１連結穴５１０の周縁において第１連結部５１に当接することで、支持枠３に対する連結体５の可動範囲が制限されるとともに、支持枠３からの連結体５の脱落が防止される。すなわち、ねじ３３と第１連結部５１（第１連結穴５１０の周縁部）とが、それそれ第１脱落防止部である。また、各ねじ３３が第１連結穴５１０内で左右に変位することで、連結体５は支持枠３に対して所定のスライド方向である左右方向に平行移動（スライド）可能となっている。
【００２１】
さらに、本体部５３の上端部の前後両端部には、それぞれ、本体部５３から左右方向のうち他方の連結体５に近づく方向に突出して前後方向において天板４を挟む第２連結部５２が設けられている。各第２連結部５２にはそれぞれ左右に長い貫通穴である第２連結穴５２０が設けられている。天板４の各側片４２において左右両端部には、それぞれ２個ずつのねじ４３が、図２に示すように第２連結穴５２０を貫通する形で左右に並べてねじ込まれている。第２連結穴５２０は、ねじ４３の頭部を挿通不可能な程度に幅寸法（上下方向の寸法）を小さくされている。つまり、各ねじ４３が、それぞれ第２連結穴５２０の周縁において第２連結部５２に当接することで、天板４に対する連結体５の可動範囲が制限されるとともに、天板４からの連結体５の脱落が防止される。すなわち、ねじ４３と第２連結部５２（第２連結穴５２０の周縁部）とが、それそれ第２脱落防止部である。また、各ねじ４３が第２連結穴５２０内で左右に変位することで、連結体５は天板４に対して所定のスライド方向である左右方向に平行移動（スライド）可能となっている。さらに、第２連結部５２は、第２連結穴５２０を有して厚さ方向を左右方向に向けた主片５２１と、主片５２１の上端から天板４の上側へ突設された上片５２２と、主片５２１の下端から天板４の下側へ突設された下片５２３とを有する。また、下片５２３の先端部には、主片５２１との間に天板４の側片４２を挟む挟み片５２４が上方に突設されている。つまり、上片５２２と下片５２３との間に天板４が挟まれることや、主片５２１と挟み片５２４との間に天板４の側片４２が挟まれることで、天板４に対する連結体５のがたつきが抑えられている。また、図３に示すように、天板４の側片４２の左右方向の両端部には、それぞれ前後方向の外向きに弾性的に突出するように屈曲された係合片４４が設けられている。第２連結部５２において主片５２１には、係合片４４が係入する係合穴５２５が設けられている。天板４から長手方向への連結体５の突出寸法が最も大きくなったときに、図２に示すように係合穴５２５に係合片４４が係入するように、係合穴５２５と係合片４４との位置は設計されている。上記のように係合穴５２５に係合片４４が係入した状態では、天板４に対する連結体５のがたつきが抑えられる。
【００２２】
上記構成によれば、埋込穴７０への埋込配設の際には図１（ａ）のように各連結体５の位置をそれぞれ支持枠３の鍔部３２よりも水平方向には突出しないような位置とすることができる。また、灯体１の向きを変更する際には、図１（ａ）に矢印Ａ１で示すように各連結体５を左右方向の外側へ変位させて図１（ｂ）の状態とすることで、灯体１に対する連結体５の干渉を避けることができる。
【００２３】
なお、連結体５に対する天井材７の干渉が発生しないように（つまり、連結体５が確実に天井材７よりも上側に位置するように）、連結体５の下端と支持枠３の鍔部３２との距離は、想定される天井材７の厚さ寸法の最大値よりも大きくされている。
（実施形態２）
本実施形態の基本構成は実施形態１と共通であるので、共通する部分についての説明は省略する。
【００２４】
本実施形態は、図４（ａ）（ｂ）に示すように、連結体５として、それぞれ支持枠３と天板４とに対して左右に平行移動（スライド）可能なものを、支持枠３と天板４との前後両側に２個ずつ、合計４個備える。各連結体５は、それぞれ、支持枠３に対して左右にスライド可能に連結された第１連結部５１と、天板４に対して左右にスライド可能に連結された第２連結部５２と、第１連結部５１と第２連結部５２との間に介在する本体部５３とを備える。
【００２５】
また、支持枠３の筒部３１の前後の壁において左右両端部には、それぞれ左右に長い貫通穴である連結穴３１０が設けられている。第１連結部５１は、厚さ方向を前後方向に向けた扁平な形状であって、第１ボルト５４１を前後方向の外側から挿通されている。この第１ボルト５４１は、支持枠３の連結穴３１０にも挿通され、支持枠３の内側においてナット（図示せず）にねじ込まれる。そして、第１ボルト５４１が連結穴３１０内で左右に変位することで、連結体５は支持枠３に対して所定のスライド方向である左右方向に平行移動（スライド）可能となっている。つまり、第１ボルト５４１と、支持枠３の筒部３１（連結穴３１０の周縁部）とが、本実施形態における第１脱落防止部である。支持枠３の連結穴３１０の幅寸法（上下方向の寸法）は、上記のナットを挿通不可能な程度に小さくされている。
【００２６】
さらに、天板４の側片４２において左右両端部には、それぞれ左右に長い貫通穴である連結穴４２０が設けられている。第２連結部５２は、図５に示すように、厚さ方向を前後方向に向けた主片５２１と、主片５２１の上端から前後方向の内向きに突設されて天板４の上側に位置する上片５２２とを有する。また、第２連結部５２の主片５２１には、前後方向の内側から天板４の連結穴４２０に挿通された第２ボルト５４２がねじ込まれている。そして、この第２ボルト５４２が連結穴３１０内で左右に変位することで、連結体５は支持枠３に対して所定のスライド方向である左右方向に平行移動（スライド）可能となっている。つまり、第２ボルト５４２と、天板４の側片４２（連結穴４２０の周縁部）とが、本実施形態における第２脱落防止部である。天板４の連結穴４２０の幅寸法（上下方向の寸法）は、第２ボルト５４２の頭部を挿通不可能な程度に小さくされている。
【００２７】
また、連結体５の本体部５３は、一部が第１連結部５１や第２連結部５２よりも前後方向の内側に突出し、支持枠３の筒部３１の上端と天板４の側片４２の下端との間に挟まれる。そして、連結体５の本体部５３は、第１ボルト５４１の中心軸に対して左右方向の互いに異なる側に位置する２点で支持枠３の上端に当接するとともに、第２ボルト５４２の中心軸に対して左右方向の互いに異なる側に位置する２点で側片４２の下端に当接する。これにより、支持枠３や天板４に対する連結体５の回転であっていずれかのボルト５４１，５４２を軸とした回転は禁止されている。
【００２８】
さらに、連結体５の各連結部５１，５２は、本体部５３に対し、スライド方向である左右方向へは突出しない寸法形状とされている。これにより、連結体５は、可動範囲内のどの位置であっても、支持枠３や天板４から左右方向（スライド方向）へは突出しない。また、連結体５は、可動範囲内のどの位置であっても、支持枠３の鍔部３２よりも水平方向には突出しない。
【００２９】
上記構成によれば、灯体１の向きを変更する際には、各連結体５を支持枠３や天板４に対して適宜変位させることで、灯体１に対する連結体５の干渉を避けることができる。例えば、中央の灯体１の向きを変更する際には、図４（ａ）に矢印Ａ２で示すように各連結体５をそれぞれ左右方向の外向きに変位（スライド）させて図４（ｂ）の状態とすれば、中央の灯体１に対する各連結体５の干渉を避けることができる。また、左右両端の灯体１の向きを変更する際には、上記とは逆に、各連結体５をそれぞれ左右方向の内向きに変位（スライド）させて図４（ａ）の状態とすればよい。
【００３０】
ここで、実施形態１では、連結体５は、灯体１に対する干渉を避けるように変位した図１（ｂ）の状態では、支持枠３の鍔部３２よりも水平方向（左右方向）に突出する。つまり、実施形態１の照明器具は、上記のように連結体５を変位させたままでは、支持枠３の鍔部３２よりも小さい寸法形状の埋込穴７０に対する出し入れができない。実施形態１における連結体５の変位は、埋込配設後に、例えば灯体１や回転枠２をいったん取り外して支持枠３を通じて手を差し入れることで行うことができる。すなわち、実施形態１では、灯体１の向きを、埋込配設の前に予め調整しておくことができない。
【００３１】
これに対し、本実施形態では、連結体５を変位させても支持枠３の鍔部３２よりも水平方向には突出しないから、灯体１に対する干渉を避けるように連結体５を変位させた状態のままで埋込穴７０に対する出し入れを行うことができる。つまり、灯体１の向きを、埋込配設の前に予め調整しておくことができる。
【００３２】
ただし、実施形態１の図１（ｂ）の状態のように支持枠３から水平方向に突出する位置に連結体５を変位可能としたほうが、全ての灯体１に対して同時に連結体５の干渉を避けることが比較的に容易であるという利点がある。
（実施形態３）
本実施形態の基本構成は実施形態１と共通であるので、共通する部分についての説明は省略する。
【００３３】
本実施形態は、図６（ａ）（ｂ）に示すように、連結体５として、それぞれ支持枠３と天板４とに対して上下方向に平行な軸周りに回転可能なものを、支持枠３と天板４との左右両端部に２個ずつ、合計４個備える。
【００３４】
具体的に説明すると、各連結体５は、図７に示すように、互いに同軸の筒形状の第１連結部５１及び第２連結部５２と、連結部５１，５２間に介在する本体部５３とを備える。本体部５３は、第１連結部５１から径方向に突出する第１腕部５３１と、第２連結部５２から径方向に突出する第２腕部５３２と、第１腕部５３１の先端部と第２腕部５３２の先端部とを相互に連結する胴部５３３とを有する、全体としてＵ字形状である。
【００３５】
また、支持枠３の筒部３１の四隅には、それぞれ下側回転軸３５が上方に突設されており、第１連結部５１は、下側回転軸３５を挿通されることで、支持枠３に対し、上下方向に平行な軸周りに回転可能に連結されている。下側回転軸３５は、例えば、軸方向を上下方向に向けて支持枠３に上方からねじ込まれたボルトからなる。
【００３６】
さらに、天板４の主片４１の四隅には、それぞれ上側回転軸４５が下方に突設されており、第２連結部５２は、上側回転軸４５を挿通されることで、天板４に対し、上下方向に平行な軸周りに回転可能に連結されている。上側回転軸４５は、例えば、軸方向を上下方向に向けて天板４の主片４１に上方から挿通されたボルトと、天板４の主片４１の下側において上記のボルトがねじ込まれるブラインドナットとからなる。
【００３７】
また、支持枠３の筒部３１の四隅には、それぞれ、図８に示すように、連結体５の第１腕部５３１に当接することで、支持枠３に対する連結体５の可動範囲（回転範囲）を制限する制限部３４が設けられている。
【００３８】
上記構成によれば、埋込穴７０への埋込配設の際には図６（ａ）のように各連結体５の位置をそれぞれ支持枠３の鍔部３２よりも水平方向には突出しないような位置とすることができる。また、灯体１の向きを変更する際には、図６（ｂ）に矢印Ａ３で示すように胴部５３３を左右方向の外側へ変位させる向きに各連結体５を回転させることで、灯体１に対する連結体５の干渉を避けることができる。
【００３９】
なお、連結体５が天井材７に干渉しないように（つまり、連結体５が確実に天井材７よりも上側に位置するように）、連結体５の下端と支持枠３の鍔部３２との距離は、想定される天井材７の厚さ寸法の最大値よりも大きくされている。
【００４０】
また、連結体５の可動範囲（回転範囲）を制限する制限部３４は、天板４に設けてもよいし、支持枠３と天板４との両方に設けてもよい。
【００４１】
本実施形態においても、実施形態１と同様に、連結体５は、灯体１に対する干渉を避けるように変位した図６（ｂ）の状態では、支持枠３の鍔部３２よりも水平方向に突出するので、灯体１の向きを、埋込配設の前に予め調整しておくことができない。連結体５の変位は、埋込配設後に、例えば灯体１や回転枠２をいったん取り外して支持枠３を通じて手を差し入れることで行うことができる。
【符号の説明】
【００４２】
１  灯体
２  回転枠
３  支持枠
４  天板
５  連結体
３１  筒部（実施形態２での第１脱落防止部）
３３  ねじ（実施形態１での第１脱落防止部）
３４  制限部
４２  側片（実施形態２での第２脱落防止部）
４３  ねじ（実施形態１での第２脱落防止部）
５１  第１連結部（実施形態１での第１脱落防止部）
５２  第２連結部（実施形態１での第２脱落防止部）
５３  本体部
５４１  第１ボルト（実施形態２での第１脱落防止部）
５４２  第２ボルト（実施形態２での第２脱落防止部）
【図１】
2015011879.tif 000003
【図２】
2015011879.tif 000004
【図３】
2015011879.tif 000005
【図４】
2015011879.tif 000006
【図５】
2015011879.tif 000007
【図６】
2015011879.tif 000008
【図７】
2015011879.tif 000009
【図８】
2015011879.tif 000010
【図９】
2015011879.tif 000011
【図１０】
2015011879.tif 000012